(57)【特許請求の範囲】
【請求項１】
少なくとも胸郭脇側の一部を覆う本体と、前記本体に設けられた収容部に収容された浮力を有する浮体とを備える水中運動用衣類において、
前記浮体が、前記本体の胸郭脇側に相当する位置であって、高さ方向において第６胸椎〜第１２胸椎及び第１腰椎〜第２腰椎に相当する位置の少なくとも一部に設けられていることによって、前記本体の胸郭脇側に相当する位置の浮力が他の位置の浮力よりも大きい、
水中運動用衣類。
【請求項２】
前記浮体は、高さ方向において第７胸椎〜第１０胸椎に相当する位置の少なくとも一部に設けられている、請求項１に記載の水中運動用衣類。
【請求項３】
前記浮体の幅は水平ウエスト厚径以下である、請求項１又は２に記載の水中運動用衣類。
【請求項４】
前記浮体の幅は腕付根前後径の１／２倍以上である、請求項３に記載の水中運動用衣類。
【請求項５】
前記浮体の一部は中腋窩線上にある、請求項１〜４の何れか１項に記載の水中運動用衣類。
【請求項６】
前記浮体が有する浮力は、着用者の体重の０．１％以上０．５％以下の浮力である、請求項１〜５の何れか１項に記載の水中運動用衣類。
【請求項７】
前記浮体は複数に分割されている、請求項１〜６の何れか１項に記載の水中運動用衣類。
【発明の詳細な説明】
【技術分野】
【０００１】
本発明は、浮体を有する水中運動用衣類に関するものである。
【背景技術】
【０００２】
特許文献１〜７には、浮体を有する水中運動用衣類として、水着が開示されている。特許文献１に開示の水着は、水中において溺れることを防止する目的で（安全性確保）、空気袋からなる浮体を、前身ごろ及び後身ごろの全体に設けている。また、特許文献２及び３に開示の水着は、初級者レベルの水泳を補助する目的で（安全性確保）、空気袋又は発泡材等からなる浮体を、胴部の周囲（正面側、背面側、及び、脇側）の少なくとも一部に設けている。なお、特許文献２及び３に開示の水着では、浮体が着脱可能になっており、浮力の調節が可能となっている。
【０００３】
また、特許文献４に開示の水着は、水泳の補助の他に、リハビリテーションやトレーニング等の水中運動の補助をも目的としており（安全性確保）、空気袋からなる浮体を、腰部の脇側に設けている。この特許文献４に開示の水着でも、浮体が着脱可能になっている。
【０００４】
また、特許文献５に開示の水着は、水泳の補助、リハビリテーションやトレーニング等の水中運動の補助に加え、水中運動の自由度確保をも目的としており、発泡材からなる浮体を、正面側の胸腹部及び背面側の背部に設けている。また、特許文献６に開示の水着は、特許文献５と同様の目的で、胴体上部の胸側又は背側が発泡材等からなる浮遊材で一体形成されている。
【０００５】
また、特許文献７に開示の水着でも、水泳の補助、リハビリテーションやトレーニング等の水中運動の補助を目的として、空気袋からなる浮体を、正面側の胸腹部及び背面側の背部に設けている。この特許文献７には、水中運動として水中歩行運動の補助方法について詳細に開示されている。すなわち、筋力の少ない特に高齢者等によるリハビリテーションのための水中歩行運動では、水の抵抗に負けて身体が後方へ反ってしまい、水中でのバランスが崩れてしまうので、これを防止するために（安全性確保）、水の抵抗に逆らうように身体を前かがみ気味にするように浮力を与える構造とすることが好ましいことが開示されている。
【先行技術文献】
【特許文献】
【０００６】
【特許文献１】特開昭６０−０５２６０４号公報
【特許文献２】実開昭６２−０４１０１７号公報
【特許文献３】登録実用新案第３０２２８５４号公報
【特許文献４】実開昭６３−１９２４１２号公報
【特許文献５】登録実用新案第３０２０８４４号公報
【特許文献６】特開平０８−３３７９０４号公報
【特許文献７】登録実用新案第３１５０３３０号公報
【発明の概要】
【発明が解決しようとする課題】
【０００７】
ところで、水中歩行運動は、関節等への負担が小さい上に、水の抵抗を利用した高負荷運動であり、高齢者等のリハビリテーションのみならず、ダイエットや筋力維持等を目的として幅広い年齢層（特に、激しい運動を行うことは困難であるが、ダイエットや筋力維持等のための運動を行うことに興味がある４０代〜６０代）に広く利用されている。この種の水中歩行運動では、カロリー消費量を更に高めることが要望されている。
【０００８】
そこで、本発明は、水中運動、特に水中歩行運動において、カロリー消費量を高めることが可能な水中運動用衣類を提供することを目的としている。
【課題を解決するための手段】
【０００９】
本願発明者らは、真水中での運動と比較して、海水中での運動において、関節の不具合が軽減されやすいだけでなく、痩せやすいという知見を得ている。これは、海水中では、真水中より浮力が大きく、背筋が伸びた正しい姿勢で運動を行うことに起因するものと考えられる。例えば、水中では、空気を取り込む肺を囲む胸郭部分に浮力が発生し、胸郭の付け根である第７胸椎〜第１０胸椎を支点として上向きの力が作用することとなる。この作用により、胸郭が持ち上がり、姿勢が良くなるものと考えられる。海水中では、真水中と比較して、この作用の効果が大きいものと考えられる。
【００１０】
そこで、本発明の水中運動用衣類は、少なくとも胸郭脇側の一部を覆う本体と、本体に設けられた浮体とを備える水中運動用衣類において、浮体が、本体の胸郭脇側に相当する位置であって、高さ方向において第６胸椎〜第１２胸椎及び第１腰椎〜第２腰椎に相当する位置の少なくとも一部に設けられていることによって、本体の胸郭脇側に相当する位置の浮力が他の位置の浮力よりも大きい。ここで、胸郭とは、一般に１２個の胸椎、１２対の肋骨、及び、１個の胸骨からなるものとされているが、本明細書では、更に第１〜２腰椎をも含むものとする。
【００１１】
この水中運動用衣類によれば、胸郭まで水中に浸かった状態での歩行運動において、浮体の浮力による上向きの力によって胸郭を持ち上げ、水中運動時の姿勢を改善することができる。その結果、プール等の真水中でも、海水中と同様に、カロリー消費量を高めることが可能となる。
【００１２】
詳説すると、第一に、筋肉は伸びた状態から縮む時に力を発揮するものであるので、背筋を伸ばすことによって通常より腹筋等を伸びた状態とすることができ、その分より多く縮むことができる。すなわち、腹筋等の筋活動を高めることができる。第二に、体幹を安定することができ、四肢（両手足）を大きく動かすことができる。第三に、水の抵抗による負荷を高めることができる。これらの第一〜第三の作用により、カロリー消費量を高めることが可能となる。
【００１３】
また、男女問わず比較的曲面が少ない胸郭脇側に浮体が配置されているので、密着性を高めることができ、胸郭に直接的に作用することができる。その結果、上記した第一〜第三の作用を効率よく働かせることが可能となる。また、運動中の腕等の動作を妨げることを抑制することができる。
【００１４】
上記した浮体は、高さ方向において第７胸椎〜第１０胸椎に相当する位置の少なくとも一部に設けられていることが好ましい。これによれば、海水中と同様の作用をより得ることができる。すなわち、浮体の浮力による上向きの力を、胸郭の付け根である第７胸椎〜第１０胸椎を支点として作用させることができ、水中運動時の姿勢をより改善することができる。
【００１５】
上記した浮体の幅は、水平ウエスト厚径以下であることが好ましい。ここで、水平ウエスト厚径とは、ウエスト基点の高さにおける矢状面に対して平行に測った胴部の最大水平直線距離である。これによれば、上記したように、男女問わず比較的曲面が少ない胸郭脇側に浮体が配置されることとなる。
【００１６】
上記した浮体の幅は、腕付根前後径の１／２倍以上であることが好ましい。ここで、腕付根前後径とは、前腋窩点から後腋点までの水平直線距離である。これによれば、浮体の厚みの増加を抑制することができ、運動中における腕等の動作の妨げを軽減することができる。
【００１７】
上記した浮体の一部は、中腋窩線上にあることが好ましい。これによれば、上記したように、男女問わず比較的曲面が少ない胸郭脇側に浮体が配置されることとなる。
【００１８】
上記した浮体が有する浮力は、着用者の体重の０．１％以上０．５％以下の浮力であることが好ましい。浮体の浮力が着用者の体重の０．１％以上の浮力であれば、浮体の浮力による上向きの力によって胸郭を持ち上げ、水中運動時の姿勢を改善することができる。一方、浮体の浮力が着用者の体重の０．５％以下の浮力であれば、浮体の浮力による上向きの力を、全身が浮かない程度の適切なものとすることができる。
【００１９】
上記した浮体は、複数に分割されていることが好ましい。これによれば、個々の浮体を小さくすることができるので、密着性をより高めることができると共に、ひねり動作等の動作に対してもずれをより防止することができる。その結果、上記した第一〜第三の作用をより効率よく働かせることが可能となる。
【発明の効果】
【００２０】
本発明によれば、水中運動、特に水中歩行運動において、カロリー消費量を高めることができる。
【図面の簡単な説明】
【００２１】
【図１】本発明の第１の実施形態に係る水着を表側から示す斜視図である。
【図２】本発明の第１の実施形態に係る水着を裏側から示す斜視図である。
【図３】腕付根前後径、及び、水平ウエスト厚径を示す図である。
【図４】（ａ）真水中と（ｂ）海水中とにおける胸郭部分に発生する浮力を示す図である。
【図５】（ａ）比較例の水着を着用した場合と（ｂ）第１の実施形態の水着を着用した場合との、胸郭まで水中に浸かった状態での歩行運動における姿勢を示す図である。
【図６】本発明の第２の実施形態に係る水着を裏側から示す斜視図である。
【図７】本発明の第３の実施形態に係る水着を裏側から示す斜視図である。
【発明を実施するための形態】
【００２２】
以下、図面を参照して本発明の好適な実施形態について詳細に説明する。なお、各図面において同一又は相当の部分に対しては同一の符号を附すこととする。
［第１の実施形態］
【００２３】
図１は、本発明の第１の実施形態に係る水着を表側から示す斜視図であり、図２は、本発明の第１の実施形態に係る水着を裏側から示す斜視図である。図１及び図２に示す水着１は、着用者の上半身を覆うノースリーブシャツ形状の水着であり、本体１００と浮体２００とを備えている。
【００２４】
本体１００は、主本体１０と一対の裏本体２０との２重構造をなしている。主本体１０は、ノースリーブシャツ形状をなしており、前中心に設けられたファスナー１１によって開閉可能となっている。なお、ファスナー１１の裏側には、裏当て布１２が設けられている。
【００２５】
主本体１０には、水着として機能可能な様々な生地が適用可能であるが、縦方向及び横方向に伸縮性を有する生地が用いられることが好ましい。また、主本体１０には、プリンセスライン（着用者の上半身に沿わせるための縦の切り替え線）１３が形成されることが好ましい。これらにより、無駄な余りがない立体パターンを有する主本体１０を得ることができ、フィット感を高めることができる。
【００２６】
また、主本体１０の生地としては、適度な厚みを有し、かつ、軽い素材が用いられることが好ましく、例えばツーウェイトリコットのような弾性編地が用いられる。これにより、着用感を損なうことなく、透けない等の安心感を得ることができる。主本体１０の裏側には、一対の裏本体２０が設けられている。
【００２７】
一対の裏本体２０は、それぞれ、主本体１０の裏側において、胸郭の正面側及び脇側に相当する位置に、前中心に対して左右対称に設けられている。裏本体２０では、下辺を除く周囲が、主本体１０のファスナー部１０ａ、襟部１０ｂ、肩部１０ｃ、腕部１０ｄ、及び、脇側後部１０ｅに縫着されており、その他の部分は主本体１０と遊離している。裏本体２０には、縦方向及び横方向に伸縮性を有し、着用者に対して密着性を有する生地（例えば、パワーネット）が用いられる。
【００２８】
一対の裏本体２０には、バストを覆うための一対のカップ２１がそれぞれ設けられている。また、裏本体２０の胸郭脇側に相当する位置には、浮体２００を収容するための収容部２２が設けられている。本実施形態では、２個の収容部２２が上下に併設されている。裏本体２０に対する収容部２２の形成位置の詳細については、後述する浮体２００の配置位置を参照することとする。
【００２９】
ここで、胸郭とは、一般に１２個の胸椎、１２対の肋骨、及び、１個の胸骨からなるものとされているが、本明細書では、更に第１〜２腰椎をも含むものとする。
【００３０】
一対の裏本体２０における収容部２２それぞれには、浮体２００が収容される。本実施形態では、４個の浮体２００が、胸郭両脇側に２個ずつ、上下に併設される。すなわち、一方の胸郭脇側において、浮体２００は２つに分割されている。
【００３１】
浮体２００には、浮力を発生させることが可能な部材全てが適用可能である。なお、浮体２００の部材としては、例えば、耐水性、耐久性に優れていることが好ましい。浮体２００の部材の一例としては、ポリエチレン製発泡体が挙げられる。
【００３２】
浮体２００は、裏本体２０の胸郭脇側において、第６胸椎（腕の付根の脇下の高さに相当）〜第１２胸椎、及び、第１腰椎〜第２腰椎（腰、ウエストの高さに相当）に相当する位置に位置する（高さ方向の位置）。また、浮体２００の一部が、中腋窩線２と重なる位置に位置する（横方向の位置）。
【００３３】
浮体２００の幅は、水平ウエスト厚径以下であり、腕付根前後径の１／２倍以上である。好ましくは、浮体２００の幅は、腕付根前後径の約１／２倍である。後述する腕付根前後径の平均値によれば、４０歳〜６０歳の女性では、浮体２００の幅は約５６ｍｍであることが好ましい。
【００３４】
ここで、図３に示すように、腕付根前後径とは、前腋窩点から後腋点までの水平直線距離Ｌ１であり、４０歳〜６０歳の女性の平均値は約１０９．１ｍｍであり、４０歳〜６０歳の男性の平均値は約１２７．４ｍｍである。一方、水平ウエスト厚径とは、ウエスト基点の高さにおける矢状面に対して平行に測った胴部の最大水平直線距離Ｌ２であり、４０歳〜６０歳の女性の平均値は約１８８．８ｍｍであり、４０歳〜６０歳の男性の平均値は約２２７．４ｍｍである（社団法人人間生活工学研究センター（ＨＱＬ）の人体寸法データベース２００４−２００６）。
【００３５】
また、浮体２００の浮力は、体重の０．１％以上０．５％以下であればよく、好ましくは０．１５％以上０．３％以下である。更に好ましくは、０．１５％以上０．２５％以下である。なお、浮体２００の浮力は、体脂肪等の着用者自身が有する浮力に関連するパラメータに基づいて調整してもよい。
【００３６】
浮体２００の一例としては、９号Ｍサイズ（女性サイズ）を想定した場合、ポリエチレン製発泡体を使用すると、縦６７．５ｍｍ、横５６ｍｍ、厚さ５ｍｍの長方形状平板が挙げられる。これによれば、４個の浮体２００の総浮力が約０．７８４Ｎ（約８０ｇｆ）であり、着用者の体重約３２ｋｇ〜５３ｋｇに対して浮力約０．１５％〜０．２５％を得ることができる。
【００３７】
また、１３号Ｌサイズ（女性サイズ）を想定した場合の浮体２００の一例としては、ポリエチレン製発泡体を使用すると、縦６７．５ｍｍ、横８４ｍｍ、厚さ５ｍｍの長方形状平板が挙げられる。これによれば、４個の浮体２００の総浮力が約１．１７６Ｎ（約１２０ｇｆ）であり、着用者の体重約４８ｋｇ〜８０ｋｇに対して浮力約０．１５％〜０．２５％を得ることができる。
【００３８】
ここで、本願発明者らは、真水中での運動と比較して、海水中での運動において、関節の不具合が軽減されやすいだけでなく、痩せやすいという知見を得ている。これは、海水中では、真水中より浮力が大きく、背筋が伸びた正しい姿勢で運動を行うことに起因するものと考えられる。例えば、図４（ａ）及び（ｂ）に示すように、水中では、空気を取り込む肺Ａに大きな浮力が発生し、胸郭の付け根である第７胸椎〜第１０胸椎Ｃを支点として、肺Ａを囲む胸郭部分Ｂに上向きの力（浮力）Ｆが作用することとなる。この作用により、胸郭が持ち上がり、姿勢が良くなるものと考えられる。図４（ｂ）に示す海水中では、図４（ａ）に示す真水中と比較して、この作用の効果が大きいものと考えられる。なお、図４（ｂ）には、図４（ａ）における胸郭位置を点線で示している。
【００３９】
第１の実施形態の水着１によれば、本体の胸郭脇側に相当する位置であって、第６胸椎〜第１２胸椎及び第１腰椎〜第２腰椎に相当する位置に浮体２００が設けられているので、図５（ｂ）に示すように、胸郭まで水中に浸かった状態での歩行運動において、浮体２００の浮力による上向きの力によって胸郭を持ち上げ、図５（ａ）に示す浮体を有さない水着と比較して、水中運動時の姿勢を改善することができる。その結果、プール等の真水中でも、海水中と同様に、カロリー消費量を高めることが可能となる。
【００４０】
詳説すると、第一に、筋肉は伸びた状態から縮む時に力を発揮するものであるので、背筋を伸ばすことによって通常より腹筋等を伸びた状態とすることができ、その分より多く縮むことができる。すなわち、腹筋等の筋活動を高めることができる。第二に、体幹を安定することができ、四肢（両手足）を大きく動かすことができる。第三に、水の抵抗による負荷を高めることができる。これらの第一〜第三の作用により、カロリー消費量を高めることが可能となる。
【００４１】
また、第１の実施形態の水着１では、浮体２００が男女問わず比較的曲面が少ない胸郭脇側に配置されており、浮体２００の幅が水平ウエスト厚径以下であり、また、浮体２００の一部が中腋窩線２上にある。これにより、密着性を高めることができる。その結果、上記した第一〜第三の作用を効率よく働かせることが可能となる。また、運動中における腕等の動作の妨げを軽減することができる。また、着用時に浮体が目立ち難い。
【００４２】
なお、浮体が本体の前面側又は背面側に位置すると、ひねり動作等によりずれ易い。また、女性では、バストに起因して前面側の密着性が損なわれる。これらを考慮すると、浮体は胸郭脇側にのみに配置されることが好ましい。しかしながら、胸郭脇側における浮体の作用を大きく妨げない、例えば、カップ部材や微調整用の浮体（胸郭脇側における浮体よりも小さな浮力を有する浮体）を本体の前面側又は背面側に設けてもよい。このように、本体の胸郭脇側に相当する位置の浮力が他の位置の浮力よりも大きければ、上記効果を得ることが可能である。
【００４３】
また、第１の実施形態の水着１では、浮体２００の幅が腕付根前後径の１／２倍以上であるので、浮体の厚みの増加を抑制することができ、運動中における腕等の動作の妨げを軽減することができる。
【００４４】
なお、浮体２００の幅が水平ウエスト厚径より大きいと、胸郭部分への密着性が低下してしまう。一方、浮体２００の幅が腕付根前後径の１／２倍より小さいと、必要な浮力を得るための厚みが厚くなってしまう。これらを考慮すると、浮体２００の幅は、腕付根前後径の約１／２倍であることが好ましい。
【００４５】
また、第１の実施形態の水着１によれば、浮体２００の浮力が着用者の体重の０．１％以上０．５％以下、好ましくは０．１５％以上０．３％以下、更に好ましくは０．１５％以上０．２５％以下の浮力であるので、浮体の浮力による上向きの力であって、全身が浮かない程度の適切な上向きの力によって胸郭を持ち上げ、水中運動時の姿勢を改善することができる。
【００４６】
また、第１の実施形態の水着１によれば、胸郭両脇側それぞれにおいて、浮体２００が上下に２つに分割されているので、個々の浮体２００を小さくすることができる。その結果、密着性をより高めることができると共に、ひねり動作等の動作に対してもずれをより防止することができる。その結果、上記した第一〜第三の作用をより効率よく働かせることが可能となる。
【００４７】
また、第１の実施形態の水着１によれば、本体１００が２重構造であり、主本体１０と裏本体２０とが遊離しており、裏本体２０の密着性が高いので、着用者の動作に応じて主本体をずれ易くしつつ（動作の自由度確保）、裏本体２０の密着性を高めることができる。
［第２の実施形態］
【００４８】
図６は、本発明の第２の実施形態に係る水着を裏側から示す斜視図である。図６に示す水着１Ａは、着用者の胸郭を覆うブラジャー形状の水着であり、本体１００Ａと浮体２００Ａとを備えている。
【００４９】
本体１００Ａは、バスト及びバストの下方を覆うブラジャー形状をなしている。本体１００Ａには、上記した本体１００における主本体１０又は裏本体２０と同様の生地が適用可能である。本体１００Ａの胸郭脇側に相当する位置には、浮体２００Ａを収容するための収容部２２Ａが設けられている。本体１００Ａに対する収容部２２Ａの形成位置の詳細については、後述する浮体２００Ａの配置位置を参照することとする。
【００５０】
本体１００Ａの収容部２２Ａそれぞれには、浮体２００Ａが収容される。本実施形態では、２個の浮体２００Ａが、胸郭両脇側に１個ずつ配置される。浮体２００Ａには、上記した浮体２００と同様の部材が適用可能である。
【００５１】
浮体２００Ａは、本体１００Ａの胸郭脇側において、第７胸椎〜第１０胸椎に相当する位置に位置する（高さ方向の位置）。また、浮体２００Ａの一部が、中腋窩線２と重なる位置に位置する（横方向の位置）。
【００５２】
浮体２００Ａの幅は、水平ウエスト厚径以下であり、腕付根前後径の１／２倍以上である。好ましくは、浮体２００の幅は、水平ウエスト厚径の２／３倍である。上記した水平ウエスト厚径の平均値によれば、４０歳〜６０歳の女性では、浮体２００Ａの幅は約１３５ｍｍであることが好ましい。
【００５３】
また、浮体２００Ａの浮力は、０．１％以上０．５％以下であればよく、好ましくは０．１５％以上０．３％以下である。更に好ましくは、０．１５％以上０．２５％以下である。
【００５４】
浮体２００Ａの一例としては、９号Ｍサイズ（女性）を想定した場合、ポリエチレン製発泡体を使用すると、縦５６ｍｍ、横１３５ｍｍ、厚さ５ｍｍの長方形状平板が挙げられる。これによれば、２個の浮体２００Ａの総浮力が約０．７８４Ｎ（約８０ｇｆ）であり、着用者の体重約３２ｋｇ〜５３ｋｇに対して浮力約０．１５％〜０．２５％を得ることができる。
【００５５】
この第２の実施形態の水着１Ａでも、第１の実施形態の水着１と同様の利点を得ることができる。なお、第２の実施形態の水着１Ａでは、浮体２００Ａが第７胸椎〜第１０胸椎に相当する位置に設けられているので、海水中と同様の作用をより得ることができる。すなわち、浮体の浮力による上向きの力を、胸郭の付け根である第７胸椎〜第１０胸椎を支点として作用させることができ、水中運動時の姿勢をより改善することができる。
［第３の実施形態］
【００５６】
図７は、本発明の第３の実施形態に係る水着を裏側から示す斜視図である。図７に示す水着１Ｂは、水着１において本体１００及び浮体２００に代えて本体１００Ｂ及び浮体２００Ｂを備えている構成で第１の実施形態と異なっている。
【００５７】
本体１００Ｂは、上記した主本体１０と一対の裏本体２０Ｂとの２重構造をなしている。一対の裏本体２０Ｂは、それぞれ、主本体１０の裏側において、胸郭の正面側及び脇側に相当する位置に、前中心に対して左右対称に設けられている。裏本体２０Ｂでは、下辺を除く周囲が、主本体１０のファスナー部１０ａ、襟部１０ｂ、肩部１０ｃ、腕部１０ｄ、及び、脇側中腋窩線部１０ｆに縫着されており、その他の部分は主本体１０と遊離している。裏本体２０Ｂには、裏本体２０と同様の生地が適用可能である。一対の裏本体２０Ｂには、バストを覆うための一対のカップ２１がそれぞれ設けられている。
【００５８】
また、本体１００Ｂの胸郭脇側に相当する位置には、浮体２００Ｂを収容するための収容部２２Ｂが設けられている。本体１００Ｂに対する収容部２２Ｂの形成位置の詳細については、後述する浮体２００Ｂの配置位置を参照することとする。
【００５９】
収容部２２Ｂには、２個の浮体２００Ｂが収容される。すなわち、４個の浮体２００Ｂが、胸郭両脇側に２個ずつ、上下に併設される。このように、一方の胸郭脇側において、浮体２００Ｂは２つに分割されている。
【００６０】
胸郭片脇側において上下に併設された２個の浮体２００Ｂは、中腋窩線２の背側から前側下方に向けて斜めに延在している。すなわち、浮体２００Ｂは、脇下中腋窩線近傍及び脇下前側近傍に配置されていない。浮体２００Ｂには、浮体２００と同様の部材が適用可能である。
【００６１】
本実施形態でも、浮体２００Ｂは、本体１００Ｂの胸郭脇側において、第６胸椎（腕の付根の脇下の高さに相当）〜第１２胸椎、及び、第１腰椎〜第２腰椎（腰、ウエストの高さに相当）に相当する位置に位置する（高さ方向の位置）。また、浮体２００Ｂの一部が、中腋窩線２と重なる位置に位置する（横方向の位置）。また、浮体２００Ｂの幅は、換言すれば、浮体２００Ｂの最背側位置Ｐｂから最前側位置Ｐｆの横方向幅Ｗは、水平ウエスト厚径以下であり、腕付根前後径の１／２倍以上である。
【００６２】
また、本実施形態でも、浮体２００Ｂの浮力は、体重の０．１％以上０．５％以下であればよく、好ましくは０．１５％以上０．３％以下である。更に好ましくは、０．１５％以上０．２５％以下である。
【００６３】
この第３の実施形態の水着１Ｂでも、第１の実施形態の水着１と同様な効果が得られる。
【００６４】
更に、この第３の実施形態の水着１Ｂによれば、浮体２００Ｂが中腋窩線２の背側から前側下方に向けて斜めに延在しており、脇下中腋窩線近傍及び脇下前側近傍に配置されていないので、歩行等における着用者の腕の動きを阻害することを抑制することができる。また、腕を動かしたときに、浮体による水着表面の膨らみに触れて生じる違和感を軽減することができる。
【００６５】
なお、本発明は上記した本実施形態に限定されることなく種々の変形が可能である。例えば、本実施形態では、浮体の収容部を本体に設けたが、別体の袋状の収容部を設けてもよい。この場合、例えば、袋状の収容部の上辺のみを本体に縫着し、収容部のその他の部分を本体に対して遊離する形態とすることが好ましい。これにより、着用者の動作に応じて本体をずれ易くしつつ（動作の自由度確保）、袋状の収容部の密着性を高めることができる。
【００６６】
また、第１の実施形態では、浮体を上下に分割したが、左右に分割してもよい。例えば、分割した浮体は中腋窩線を挟んで配置されればよい。また、上下及び左右に３分割以上としてもよい。
【００６７】
また、第２の実施形態では、ブラジャー形状の水着を例示したが、本発明は水着のインナー等にも適用可能である。
【００６８】
また、本実施形態では、女性用水着を例示したが、本発明は男性用水着にも適用可能である。この場合、例えば、本実施形態の水着において、バストを覆うためのカップを省けばよい。また、例えば、本実施形態の水着において、裏本体を省いてもよい。この場合、上記したように、別体の袋状の収容部を採用することが好ましい。
【００６９】
また、本実施形態では、本体の裏側に浮体を収容する形態を例示したが、容易に着脱できるよう、本体の表側に収容部を配置し、この収容部に浮体を収容するようにしてもよい。
【実施例１】
【００７０】
図１及び図２に示す本発明の第１の実施形態の水着１を実施例として製作し、４０代〜６０代の女性モニタ複数名による評価を行った。この評価では、実施例と比較例との対比評価を行った。
【００７１】
実施例の水着１としては、９号Ｍサイズ及び１３号Ｌサイズを製作した。浮体２００の部材としてはポリエチレン製発泡体を使用した。９号Ｍサイズでは、浮体２００は縦６７．５ｍｍ、横５６ｍｍ、厚さ５ｍｍの長方形状平板であり、この浮体２００を胸郭両脇側それぞれにおいて上下に２個並置した。これより、胸郭両脇側における４個の浮体２００の総浮力は約０．７８４Ｎ（約８０ｇｆ）であった。一方、１３号Ｌサイズでは、浮体２００は縦６７．５ｍｍ、横８４ｍｍ、厚さ５ｍｍであり、この浮体２００を胸郭両脇側それぞれにおいて上下に２個並置した。これより、胸郭両脇側における４個の浮体２００の総浮力は１．１７６Ｎ（１２０ｇｆ）であった。
【００７２】
比較例の水着は、実施例の水着１において浮体２００を備えないものである。
（第１の評価）
【００７３】
第１の評価では、実施例と比較例とをそれぞれ着用し、プールの真水中に胸郭まで浸かった状態で歩行運動を行った際の歩幅を計測した。この評価結果を表１に示す。表１では、比較例及び実施例の水着を着用した場合の歩幅をそれぞれ示すと共に、比較例の水着を着用した場合に対する実施例の水着を着用した場合の歩幅広がりを示している。なお、表１には、モニタ８名の水着サイズ（浮力）、体重／身長、体重に対する浮力割合も示している。
【表１】
0005716497.tif 000002
【００７４】
この評価結果によれば、比較例の水着を着用した場合に対して８名中６名のモニタの歩幅が広がり、平均で約３．４ｃｍも広がったことが確認できた。これにより、本実施例の水着１による上記の第三の作用、すなわち、体幹を安定することができ、四肢（両手足）を大きく動かすことができることが確認できた。
【００７５】
また、上記した第１の評価では、本実施例の水着１に対して、モニタより以下のような良好な感想を聞くことができた。
・おなか周りが安定して、身体に軸を感じて歩ける。
・水中に入ってすぐ、背中がぴっしりとして姿勢が整った気がした。
・脚が踏み込み易く、歩きやすい。
・安定感があって、ふらふらしない。
・手足ものびのび出せる。
・水に入ったときに身体が安定してぶれ難い。
・程よい補正力で、姿勢がよくなる感じ。
・軽やかに動ける
・生地の軽さがあるのでフィット感もある。
（第２の評価）
【００７６】
第２の評価では、実施例と比較例とをそれぞれ着用し、プールの真水中に胸郭まで浸かった状態で歩行運動を行った際のモニタ４名の外腹斜筋活動を評価した。筋活動の評価は、ＢＴＳ社製ＰＯＣＫＥＴＥＭＧを使用して計測した、水中歩行時の踵着地より１秒間のｉＥＭＧ値（積分筋電図測定値）により行なった。比較例の水着を着用した場合の外腹斜筋のｉＥＭＧ値のモニタ４名の平均は１１４．７ｍＶ／ｓｅｃであり、実施例の水着を着用した場合の外腹斜筋のｉＥＭＧ値のモニタ４名の平均は１７９．１ｍＶ／ｓｅｃであった。なお、表２には、モニタ４名の水着サイズ（浮力）、体重／身長、体重に対する浮力割合を示す。
【表２】
0005716497.tif 000003
【００７７】
この評価結果によれば、比較例の水着を着用した場合に対して外腹斜筋のｉＥＭＧ値がモニタ４名の平均で約６４．４ｍＶ／ｓｅｃ増加したことが確認できた。これにより、本実施例の水着１による上記の第一の作用、すなわち、腹筋等の筋活動を高めることができることが確認できた。
（第３の評価）
【００７８】
第３の評価では、実施例と比較例とをそれぞれ着用し、プールの真水中に胸郭まで浸かった状態で歩行運動を行った際の消費カロリーを計測した。この評価結果を表３に示す。表３では、比較例及び実施例の水着を着用した場合の消費カロリーをそれぞれ示すと共に、比較例の水着を着用した場合に対する実施例の水着を着用した場合の消費カロリーの増加量を示している。なお、表３には、モニタ５名の水着サイズ（浮力）、体重／身長、体重に対する浮力割合も示している。
【表３】
0005716497.tif 000004
【００７９】
この評価結果によれば、比較例の水着を着用した場合に対して５名中４名のモニタの消費カロリーが増加し、平均で約１６ｋｃａｌ／ｈも増加したことが確認できた。これより、本実施例の水着１によれば、カロリー消費量を高めることができることが確認できた。
（第４の評価）
【００８０】
第４の評価では、それぞれ、本発明の実施例と比較例とを対比して、どちらが優れていると感じたかを問うた。この評価結果を表４に示す。表４では、本発明の実施例が優れているとの回答を丸印で、どちらともいえないとの回答を三角印で、比較例の方がよいとの回答をばつ印で示している。
【表４】
0005716497.tif 000005
【００８１】
この評価結果によれば、プールの真水中に胸郭まで浸かった状態で歩行運動を行う際の姿勢が、比較例の水着を着用した場合よりも良くなったと感じる人が多かった。また、プールの真水中に胸郭まで浸かった状態で歩行運動を行う際に、比較例の水着を着用した場合よりも、おなかに力が入れやすいと感じる人が多かった。これらの評価において着目すべきは、姿勢良く、腹筋等に力が入れやすいことで、安定しながらしっかり動くことができ、その結果、より消費カロリー高く運動できていると実感できることである。このように、カロリー消費を実感できると、ダイエット等を目的とした運動を楽しく感じることができ、短期で挫折することなく、長期にわたって継続することが可能となる。また、総合的な快適感でも、比較例の水着を着用した場合よりも良いと感じる人が多かった。
【００８２】
これより、本実施例の水着１によれば、上記した第一〜第三の作用が働き、その結果、カロリー消費量を高めることができることが確認できた。
【符号の説明】
【００８３】
１，１Ａ，１Ｂ…水着（水中運動用衣類）、２…中腋窩線、１００，１００Ａ，１００Ｂ…本体、１０…主本体、１１…ファスナー、１２…裏当て布、１３…プリンセスライン、２０，２０Ｂ…裏本体、２１…カップ、２２，２２Ａ，２２Ｂ…収容部、２００，２００Ａ，２００Ｂ…浮体。
【図１】
0005716497.tif 000006
【図２】
0005716497.tif 000007
【図３】
0005716497.tif 000008
【図４】
0005716497.tif 000009
【図５】
0005716497.tif 000010
【図６】
0005716497.tif 000011
【図７】
0005716497.tif 000012